(57)【要約】【課題】  フライバック式のＤＣ／ＤＣコンバータで一定のＰＷＭ信号で簡単に充電制御を行う。【解決手段】  主コンデンサと前記主コンデンサに充電を行う、フライバック式ＤＣ／ＤＣコンバータで構成されるストロボ充電装置において、前記ＤＣ／ＤＣコンバータのトランスの一次巻線に電流駆動を行う一次電流駆動手段と所定の周波数及びデューティのパルス信号を出力するＰＷＭ信号出力手段と前記ＤＣ／ＤＣコンバータのトランスの二次巻線の電流を検出する二次電流検出手段と前記パルス信号を二次電流検出信号の出力に応じて前記一次電流駆動手段の駆動信号として出力する駆動信号出力手段を有し、前記二次電流の検出中はパルス信号を駆動信号出力として停止し前記二次電流の消失を或いは所定電流以下を検出したらパルス信号を駆動信号出力として出力するように構成したことを特徴とするストロボ充電装置。【選択図】        図１
2006154457.tif 000002
【特許請求の範囲】
【請求項１】
主コンデンサと前記主コンデンサに充電を行う、フライバック式ＤＣ／ＤＣコンバータで構成されるストロボ充電装置において、
前記ＤＣ／ＤＣコンバータのトランスの一次巻線に電流駆動を行う一次電流駆動手段と、
所定の周波数及びデューティのパルス信号を出力するＰＷＭ信号出力手段と、
前記ＤＣ／ＤＣコンバータのトランスの二次巻線の電流を検出する二次電流検出手段と、
前記パルス信号を二次電流検出信号の出力に応じて前記一次電流駆動手段の駆動信号として出力する駆動信号出力手段を有し、
前記二次電流の検出中はパルス信号を駆動信号出力として停止し前記二次電流の消失を或いは所定電流以下を検出したらパルス信号を駆動信号出力として出力するように構成したことを特徴とするストロボ充電装置。
【請求項２】
前記駆動信号出力手段は、ゲート回路であることを特徴とする請求項１に記載のストロボ充電装置。
【請求項３】
ＰＷＭ信号出力手段のパルス信号は周期及びデューティは一定であることを特徴とする請求項１に記載のストロボ充電装置。
【請求項４】
請求項１〜３のいずれかに記載のストロボ充電装置を有することを特徴とするカメラ。
【発明の詳細な説明】
【技術分野】
【０００１】
本発明は、ＤＣ／ＤＣコンバータに関する物であり、主に、カメラの電子閃光装置のＤＣ／ＤＣコンバータに関し、さらにストロボ充電装置およびカメラに関するものである。
【背景技術】
【０００２】
従来、例えば特許文献１で、二次電流の検出中にパルス信号を無能化（パルス信号を抵抗を介して発振素子ＦＥＴに入力している。その抵抗を介した信号をローレベルにする）している。具体的には、図２に示す回路である。本回路に於いて、１は電源であるところの電池、２はコンデンサであり、電池１と並列に接続されている。３はトランスであり、一次巻線と二次巻線で構成されている。このトランス３に電池１の正極、一次巻線、ＦＥＴ５、電池１の負極のループで電流を流すことにより、エネルギーをコアに蓄積しそのエネルギーで逆起電力を発生させる。３１、３２は抵抗で抵抗３１と抵抗３２直列に接続され且つ後述のトランジスタ９のコレクタに接続されている。
【０００３】
更に抵抗３１は制御ＩＣ１０１内ＰＷＭ回路１０２よりＰＷＭ信号が入力される。また抵抗３２は後述のＦＥＴ５に接続されている。５はＦＥＴであり、トランス３の一次巻線の電流を駆動する。６は抵抗でありＦＥＴ５のゲートと電池１負極に接続されている。
【０００４】
２４は主コンデンサであり、電荷を蓄積する７は高圧整流ダイオードであり、アノードはトランス３の二次巻線の巻き終わりに接続され、カソードは整流ダイオード１５のアノードに接続されている。８は抵抗であり、後述のトランジスタ９のベース・エミッタ間に接続されている。９はトランジスタであり、ベースが主コンデンサ２４の陰極に、エミッタがトランス３の二次巻線の巻き始めに、それぞれ接続され、トランス３の二次巻線より発生した逆起電力を主コンデンサ２４に蓄積する電荷の電流ループを、高圧整流ダイオード７を含めた構成で形成する。
【０００５】
１５は高圧ダイオードで、前述の高圧整流ダイオード７に接続され、後述の抵抗１２と抵抗１３により主コンデンサ２４の蓄積された電荷が放電されないようにブロックしている。１１はコンデンサで高圧整流ダイオード７とダイオード１５間に接続され主コンデンサ２４とほぼ同電位の充電電圧となる、１２と１３は抵抗で抵抗１２と抵抗１３は直列に接続され、前述のコンデンサ１１と並列に接続されのコンデンサ１１の電圧を分圧して、分圧された電圧を前述の制御ＩＣ１０１内Ａ／Ｄ回路１０３に接続している。１４はコンデンサでＡ／Ｄ回路１０３の入力する電圧のノイズを除去する。
【０００６】
１６は抵抗であり、片側を主コンデンサ２４、片側を後述のコンデンサ１７に接続されている。１７はコンデンサで片側を抵抗１６、片側を後述のトリガーコイルに接続されている。１８はサイリスタで、アノードをコンデンサ１７に接続され、カソードを主コンデンサ２４の陰極に接続されている。２１は抵抗で２０はコンデンサであって、夫々サイリスタ１８のゲートと主コンデンサ２４の陰極間に接続されている。１９は、抵抗でサイリスタ１８と後述の制御ＩＣ１０１間に接続されている。２２はトリガーコイルで、抵抗１６により充電されたコンデンサ１７の電圧を、コンデンサ１７、サイリスタ１８、トリガーコイル２２のループで放電することにより、トリガーコイル２２にトリガー電圧を発生させる。
【０００７】
２３は放電管であり、トリガーコイル２２よりトリガー電圧を受け、主コンデン２３に蓄積された電荷により発光する。
【０００８】
１０１は制御ＩＣであり１０４はマイコンであり、不図示のカメラの測光、測距、レンズ駆動、フィルム給送等のカメラシーケンス及び本発明のストロボ装置の制御を行う。１０２はＰＷＭ回路でありＰＷＭ信号を出力している。１０３はＡ／Ｄ回路であり、前述の抵抗１２と抵抗１３で分圧された電圧をデジタル化する。
【０００９】
また、ａはＰＷＭ回路１０２より出力されるＰＷＭ信号、ｂはＦＥＴ５のゲート入力信号（ＦＥＴＧＡＴＥ）、ｃはトランス３の一次巻線に流れる一次電流、ｄはトランス３の二次巻線に流れる二次電流である。ｅは、抵抗３１と抵抗３２へ接続されている二次電流検出信号である。
【００１０】
図６は昇圧動作時のタイミングチャートであり、各電流及び信号ａ〜ｅである。
【００１１】
上記説明した、図２であるところのブロック図とタイミングチャート図６をもとに、本発明の動作を説明する。
【００１２】
制御ＩＣ１０１内ＰＷＭ回路１０２から接続端子及び抵抗３１と抵抗３２を介してＰＷＭ信号のハイレベル信号をＦＥＴ５のゲートに所定の発振信号（〔１〕のタイミング）として与える。この為、ＦＥＴ５の制御電極にハイレベルの信号が与えられることで、電池１の陽極、トランス３の一次巻線、ＦＥＴ５のドレイン・ソース、電池負極のループで電流が流れる。この為、トランス３の二次巻線には誘導起電力が発生するが、この電流の極性は高圧整流用ダイオード７によりブロックされる極性となるため、該トランス３からは励起電流が流れず、エネルギーがトランス３内コアに蓄積される。
【００１３】
このエネルギー蓄積（一次電流駆動）は、ＰＷＭ回路１０２で設定された所定のデューティのハイレベルの時間行われる。このときトランス３の一次電流（ｃ）は図に示すように直線的に上昇していく。
【００１４】
ここで、ＰＷＭ回路１０２で設定された所定のデューティのハイレベルの時間行ったら、ＰＷＭ回路１０２は出力信号をローレベル（〔２〕のタイミング）となり、抵抗３１と抵抗３２を介したＦＥＴ５のゲートをローレベルにしてＦＥＴ５をオフ（〔３〕のタイミング）にして電流を遮断して非導通とする。
【００１５】
ここでは、ＰＷＭ信号に〔２〕のタイミングの立ち下がりに対してＦＥＴ５のゲートの信号は、抵抗３１と抵抗３２を介しているためＦＥＴ５のゲート容量の影響で〔３〕のタイミングでオフする。これにより、トランス３の二次巻線には逆起電力が発生する。この逆起電力がトランス３の二次巻線で発生した二次電流（ｄ）（〔３〕〜〔５〕のタイミング）として、高圧整流ダイオード７、主コンデンサ２４、抵抗７及びトランジスタ９のループで流れ、主コンデンサ２４に電荷が蓄積される。この時二次電流は、前述のＦＥＴ５のゲートの遅れの影響で二次電流の出力のピークの低下を招いている。
【００１６】
次に〔４〕のタイミングでは、〔２〕のタイミングでローレベルとなったＰＷＭ信号は、再びハイ信号レベルとなる。しかしこの時は、二次電流が流れている状態にあり二次電流によりトランジスタ９がオンして二次の電流が分流されてトランジスタのコレクタもローレベルとなる。よって二次電流検出信号ｅにより抵抗３１と抵抗３２に接続部はローレベルが維持されとともにＦＥＴ５もオフ状態が維持される。
【００１７】
そして、またＰＷＭ信号がハイレベルからローレベルとなるタイミング〔４〕となり、次のハイレベルがきても二次電流は放出中であり二次電流検出信号ｅがロー状態を維持しているので、抵抗３１と抵抗３２に接続部はローレベルを維持し、ＦＥＴ５をオフ状態としている。そしてタイミング〔５〕で二次電流が停止或いは、所定電流以下となり、二次電流検出信号ｅがローレベルからハイレベルに反転する。この反転により抵抗３１と抵抗３２に接続部はハイレベルとなり第１の入力は既に〔４〕のタイミングでハイレベルに有るので、抵抗３１と抵抗３２に接続部は、ハイレベルとなりＦＥＴ５のゲートもハイレベルとなり再びトランス３の一次巻線に電流を駆動して、トランス３のコアにエネルギー蓄積を行う。
【００１８】
そして、ＰＷＭ回路１０２で設定された所定のデューティのハイレベルの時間行ったら、ＰＷＭ回路１０２は出力信号をローレベルとなり、抵抗３１と抵抗３２に接続部はローレベルとなり、ＦＥＴ５のゲートをローレベルにしてＦＥＴ５をオフ（〔６〕のタイミング）にして電流を遮断して非導通とする。この充電動作を繰り返し行いながら充電をして行く。そして抵抗１２と抵抗１３の充電電圧の検出結果に応じて、ＰＷＭ回路１０２のＰＷＭ信号のデューティ比を変化させながら主コンデンサ２４が充電完了電圧に達するまで充電を行っていた。
【特許文献１】特開２００２−６３７１号公報
【発明の開示】
【発明が解決しようとする課題】
【００１９】
しかしながら上記従来例では、発振素子のＦＥＴへのパルス信号が抵抗を介しての信号なので、ＳＷ特性が悪く充電効率を悪化させる恐れがある。また、ＳＷ特性を改善するためには、抵抗値の低抵抗化が必要であり、低抵抗とした場合ＰＷＭ信号の出力に対して大きい負担となるものであった。
【００２０】
また、充電電圧に応じて、ＰＷＭ信号のデューティ比を変更していくため、充電電圧を検出するＡ／Ｄ回路を必要としていた。
【００２１】
本発明は、以上の点に着目して成されたもので、煩雑なパルス設定を行うことなく充電制御を行う事を可能にし、充電効率の良いストロボ充電装置およびカメラを提供することを目的とする。
【課題を解決するための手段】
【００２２】
上記課題を解決する本発明は以下に述べるようなものである。
【００２３】
請求項１によれば、主コンデンサと前記主コンデンサに充電を行う、フライバック式ＤＣ／ＤＣコンバータで構成されるストロボ充電装置において、前記ＤＣ／ＤＣコンバータのトランスの一次巻線に電流駆動を行う一次電流駆動手段と所定の周波数及びデューティのパルス信号を出力するＰＷＭ信号出力手段と前記ＤＣ／ＤＣコンバータのトランスの二次巻線の電流を検出する二次電流検出手段と前記パルス信号を二次電流検出信号の出力に応じて前記一次電流駆動手段の駆動信号として出力する駆動信号出力手段を有し、前記二次電流の検出中はパルス信号を駆動信号出力として停止し前記二次電流の消失を或いは所定電流以下を検出したらパルス信号を駆動信号出力として出力するような構成にすることにより、簡単な回路構成によりフライバック式の充電が可能になる。
【００２４】
請求項２によれば、前記駆動信号出力手段は、ゲート回路で回路を構成することにより効率の良いフライバック式の充電が可能になる。
【００２５】
請求項３によれば、ＰＷＭ信号出力手段のパルス信号は周期は一定に設定する事により簡単なシーケンスでフライバック式の充電が可能になる。
【発明の効果】
【００２６】
二次電流の検出中はＰＷＭパルス信号を駆動信号出力として停止し、二次電流の消失を或いは所定電流以下を検出したらＰＷＭパルス信号を駆動信号出力として出力するように構成したことにより、専用の制御回路を必要とすることなく、且つ逐次充電電圧は検出して、その検出結果に応じて、煩雑なパルス設定を行うことなく充電制御行う事を可能にした。また、駆動信号の出力手段にゲート回路にしたことにより充電効率の良いストロボ充電回路を提供できる。
【発明を実施するための最良の形態】
【００２７】
以下本発明を実施するための最良の形態を、実施例により詳しく説明する。
【実施例】
【００２８】
まず、図１を参照して第１の実施の形態例で使用するストロボ充電回路の全体構成について説明する。この図１は本発明の第１の実施例の形態のストロボ充電回路の全体の電気的な概略構成を示す機能ブロック図である。
【００２９】
同図において、１は電源であるところの電池、２はコンデンサであり、電池１と並列に接続されている。
【００３０】
３はトランスであり、一次巻線と二次巻線で構成されている。このトランス３に電池１の正極、一次巻線、ＦＥＴ５、電池１の負極のループで電流を流すことにより、エネルギーをコアに蓄積しそのエネルギーで逆起電力を発生させる。４はアンド型ゲートで第１の入力に後述の制御ＩＣ１０１内ＰＷＭ回路１０２よりＰＷＭ信号が入力される。
【００３１】
また第２の入力には、後述のトランジスタ９のコレクタに接続されている。また出力は後述のＦＥＴ５に接続されている。５はＦＥＴであり、前述のアンド型ゲート４出力信号によりのトランス３の一次巻線の電流を駆動する。６は抵抗でありＦＥＴ５のゲートと電池１負極に接続されている。
【００３２】
２４は主コンデンサであり、電荷を蓄積する７は高圧整流ダイオードであり、アノードはトランス３の二次巻線の巻き終わりに接続され、カソードは整流ダイオード１５のアノードに接続されている。８は抵抗であり、後述のトランジスタ９のベース・エミッタ間に接続されている。９はトランジスタであり、ベースが主コンデンサ２４の陰極に、エミッタがトランス３の二次巻線の巻き始めに、それぞれ接続され、トランス３の二次巻線より発生した逆起電力を主コンデンサ２４に蓄積する電荷の電流ループを、高圧整流ダイオード７を含めた構成で形成する。
【００３３】
１０は抵抗であり、一方をトランジスタ８のコレクタに接続され、他方を不図示の補助電源Ｖｃｃに接続されている。１５は高圧ダイオードで、前述の高圧整流ダイオード７に接続され、後述の抵抗１２と抵抗１３により主コンデンサ２４の蓄積された電荷が放電されないようにブロックしている。１１はコンデンサで高圧整流ダイオード７とダイオード１５間に接続され主コンデンサ２４とほぼ同電位の充電電圧となる、１２と１３は抵抗で抵抗１２と抵抗１３は直列に接続され、前述のコンデンサ１１と並列に接続されのコンデンサ１１の電圧を分圧して、分圧された電圧を前述の制御ＩＣ１０１内充電電圧検出回路１０３に接続している。１４はコンデンサで充電電圧検出回路１０３の入力する電圧のノイズを除去する。
【００３４】
１６は抵抗であり、片側を主コンデンサ２４、片側を後述のコンデンサ１７に接続されている。１７はコンデンサで片側を抵抗１６、片側を後述のトリガーコイルに接続されている。１８はサイリスタで、アノードをコンデンサ１７に接続され、カソードを主コンデンサ２４の陰極に接続されている。２１は抵抗で２０はコンデンサであって、夫々サイリスタ１８のゲートと主コンデンサ２４の陰極間に接続されている。１９は、抵抗でサイリスタ１８と後述の制御ＩＣ１０１間に接続されている。２２はトリガーコイルで、抵抗１６により充電されたコンデンサ１７の電圧を、コンデンサ１７、サイリスタ１８、トリガーコイル２２のループで放電することにより、トリガーコイル２２にトリガー電圧を発生させる。
【００３５】
２３は放電管であり、トリガーコイル２２よりトリガー電圧を受け、主コンデン２３に蓄積された電荷により発光する。
【００３６】
１０１は制御ＩＣであり１０４はマイコンであり、不図示のカメラの測光、測距、レンズ駆動、フィルム給送等のカメラシーケンス及び本発明のストロボ装置の制御を行う。１０２はＰＷＭ回路であり前述のアンド型ゲートに入力している。１０３は充電電圧検出回路であり、Ａ／Ｄ回路或いは、コンパレータであり、前述の抵抗１２と抵抗１３で分圧された電圧をＡ／Ｄ回路ではデジタル化して、そのＡ／Ｄの結果が所定の電圧に達したか検出する、またコンパレータでは所定電圧に達したか検出する。
【００３７】
また、ａはＰＷＭ回路１０２より出力されるＰＷＭ信号、ｂはＦＥＴ５のゲート入力信号（ＦＥＴＧＡＴＥ）、ｃはトランス３の一次巻線に流れる一次電流、ｄはトランス３の二次巻線に流れる二次電流である。ｅは、抵抗１０と制御ＩＣ１０１へ接続されている二次電流検出信号である。
【００３８】
図３は昇圧動作時のタイミングチャートであり、（Ａ）は主コンデンサ２４の電圧が２５Ｖ程度の時、（Ｂ）は５０Ｖ程度の時、（Ｃ）は２００Ｖ程度の時のタイミングチャートであり各電流及び信号ａ〜ｅである。
【００３９】
上記説明した、図１であるところのブロック図とタイミングチャート図３をもとに、本発明の動作を説明する。
【００４０】
まず、主コンデンサ２４の充電電圧が２０Ｖ程度の時のタイミングチャート（Ａ）の充電動作を説明する。
【００４１】
制御ＩＣ１０１内ＰＷＭ回路１０２から接続端子を介してアンド型ゲート４の第１の入力に所定のＰＷＭ信号のハイレベル信号が入力される。また、第２の入力には、二次電流の発生が無い状態に有るので、抵抗１０で補助電源Ｖｃｃによりプルアップ状態にありハイレベル信号が入力されている。この信号によりアンド型ゲート４の出力はハイレベル信号となりＦＥＴ５のゲートに所定の発振信号（〔１〕のタイミング）を与える。
【００４２】
この為、ＦＥＴ５の制御電極にハイレベルの信号が与えられることで、電池１の陽極、トランス３の一次巻線、ＦＥＴ５のドレイン・ソース、電池負極のループで電流が流れる。この為、トランス３の二次巻線には誘導起電力が発生するが、この電流の極性は高圧整流用ダイオード７によりブロックされる極性となるため、該トランス３からは励起電流が流れず、エネルギーがトランス３内コアに蓄積される。このエネルギー蓄積（一次電流駆動）は、ＰＷＭ回路１０２で設定された所定のデューティのハイレベルの時間行われる。このときトランス３の一次電流（ｃ）は図に示すように直線的に上昇していく。
【００４３】
ここで、ＰＷＭ回路１０２で設定された所定のデューティのハイレベルの時間行ったら、ＰＷＭ回路１０２の出力信号はローレベルとなり、アンド型ゲートの出力はローレベルとなり、ＦＥＴ５のゲートをローレベルにしてＦＥＴ５をオフ（〔２〕のタイミング）にして電流を遮断して非導通とする。これにより、トランス３の二次巻線には逆起電力が発生する。この逆起電力がトランス３の二次巻線で発生した二次電流（ｄ）（〔２〕〜〔４〕のタイミング）として、高圧整流ダイオード７、主コンデンサ２４、抵抗７及びトランジスタ９のループで流れ、主コンデンサ２４に電荷が蓄積される。
【００４４】
次に〔３〕のタイミングでは、〔２〕のタイミングでローレベルとなったＰＷＭ信号は、再びハイレベルとなる。しかしこの時は、二次電流が流れている状態にあり二次電流によりトランジスタ９がオンして二次の電流が分流されてローレベルとなる二次電流検出信号ｅによりアンド型ゲートの出力は、ローレベルが維持されとともにＦＥＴ５もオフ状態が維持される。
【００４５】
そして、またＰＷＭ信号がハイレベルからローレベルとなり、次のハイレベルの〔４〕のタイミングがきても二次電流は放出中即ち二次電流検出信号ｅがローレベルを維持しているので、アンド型ゲートの出力はローレベルを維持し、ＦＥＴ５をオフ状態としている。そしてタイミング〔５〕で二次電流が停止或いは、所定電流以下となり、二次電流検出信号ｅがローレベルからハイレベルに反転する。この反転によりアンド型ゲート４の第２の入力はハイレベルとなり第１の入力は既に〔４〕のタイミングでハイレベルに有るので、アンド型ゲート４の出力は、ハイレベルとなりＦＥＴ５のゲートもハイレベルとなり再びトランス３の一次巻線に電流を駆動して、トランス３のコアにエネルギー蓄積を行う。
【００４６】
そして、ＰＷＭ回路１０２で設定された所定のデューティのハイレベルの時間行ったら、ＰＷＭ回路１０２は出力信号をローレベルとなり、アンド型ゲートの出力はローレベルとなり、ＦＥＴ５のゲートをローレベルにしてＦＥＴ５をオフ（〔６〕のタイミング）にして電流を遮断して非導通とする。この充電動作を繰り返し行いながら充電をして行く。
【００４７】
この時、〔１〕〜〔２〕の一次電流駆動時間と〔５〕〜〔６〕の一次電流駆動時間は（Ａ）のタイミングチャートからわかるように、二次電流検出信号（ｅ）の信号に応じてアンド型ゲートの出力信号の通り駆動時間を変化させながら充電動作を行う。
【００４８】
次に主コンデンサ２４の充電電圧が５０Ｖ程度の時のタイミングチャート（Ｂ）の充電動作を説明する。
【００４９】
制御ＩＣ１０１内ＰＷＭ回路１０２から接続端子を介してアンド型ゲート４の第１の入力に所定のＰＷＭ信号のハイレベル信号が入力されている。また、第２の入力には、前回の駆動後に発生した二次電流が、停止或いは、所定電流以下となり、二次電流検出信号ｅがローレベルからハイレベルに反転する。この信号によりアンド型ゲート４の出力はハイレベル信号となりＦＥＴ５のゲートに所定の発振信号（〔１〕のタイミング）を与える。
【００５０】
この為、ＦＥＴ５の制御電極にハイレベルの信号が与えられることで、電池１の陽極、トランス３の一次巻線、ＦＥＴ５のドレイン・ソース、電池負極のループで電流が流れる。この為、トランス３の二次巻線には誘導起電力が発生するが、この電流の極性は高圧整流用ダイオード７によりブロックされる極性となるため、該トランス３からは励起電流が流れず、エネルギーがトランス３内コアに蓄積される。このエネルギー蓄積（一次電流駆動）は、ＰＷＭ回路１０２で設定された所定のデューティのハイレベルの時間行われる。このときトランス３の一次電流（ｃ）は図に示すように直線的に上昇していく。
【００５１】
ここで、ＰＷＭ回路１０２で設定された所定のデューティのハイレベルの時間行ったら、ＰＷＭ回路１０２は出力信号をローレベルとなり、アンド型ゲートの出力はローレベルとなり、ＦＥＴ５のゲートをローレベルにしてＦＥＴ５をオフ（〔２〕のタイミング）にして電流を遮断して非導通とする。これにより、トランス３の二次巻線には逆起電力が発生する。この逆起電力がトランス３の二次巻線で発生した二次電流（ｄ）（〔２〕〜〔４〕のタイミング）として、高圧整流ダイオード７、主コンデンサ２４、抵抗７及びトランジスタ９のループで流れ、主コンデンサ２４に電荷が蓄積される。
【００５２】
次に〔３〕のタイミングでは、〔２〕でローとなったＰＷＭ信号は、再びハイ信号レベルとなる。しかしこの時は、二次電流が流れている状態にあり二次電流によりトランジスタ９がオンして二次の電流が分流されてローレベルとなる二次電流検出信号ｅによりアンド型ゲートの出力は、ローレベルが維持されとともにＦＥＴ５もオフ状態が維持される。
【００５３】
そして、タイミング〔４〕で二次電流が停止或いは、所定電流以下となり、二次電流検出信号ｅがローレベルからハイレベルに反転する。この反転によりアンド型ゲート４の第２の入力はハイレベルとなり第１の入力は既に〔３〕のタイミングでハイレベルに有るので、アンド型ゲート４の出力は、ハイレベルとなりＦＥＴ５のゲートもハイレベルとなり再びトランス３の一次巻線に電流を駆動して、トランス３のコアにエネルギー蓄積を行う。
【００５４】
そして、ＰＷＭ回路１０２で設定された所定のデューティのハイレベルの時間行ったら、ＰＷＭ回路１０２は出力信号をローレベルとなり、アンド型ゲートの出力はローレベルとなり、ＦＥＴ５のゲートをローレベルにしてＦＥＴ５をオフ（〔５〕のタイミング）にして電流を遮断して非導通とする。この充電動作を繰り返し行いながら充電をして行く。この時、〔１〕〜〔２〕の一次電流駆動時間と〔４〕〜〔５〕の一次電流駆動時間は（Ｂ）のタイミングチャートからわかるように、二次電流検出信号（ｅ）の信号に応じてアンド型ゲートの出力信号の通りＰＷＭ信号のハイレベルの時間より短い駆動時間により充電動作を行う。
【００５５】
次に主コンデンサ２４の充電電圧が２００Ｖ程度の時のタイミングチャート（Ｃ）の充電動作を説明する。
【００５６】
タイミングは、前述の主コンデンサ２４が５０Ｖ時とほぼ同様である。異なる点としては、二次電流（ｄ）の放出時間が短くなり二次電流検出信号が短くなっている。それにしたがって、ＦＥＴＧＡＴＥ（ｂ）のアンド型ゲート４の出力であるＦＥＴ５の駆動信号が、主コンデンサが５０Ｖ時より長くなっている。即ち、図５に示すように主コンデンサ２４の充電電圧上昇にともない、充電電流（平均電流）増加させながら充電を行っていく。
【００５７】
所で、二次電流の放出時間は、図４に示す表（一次電流が一定の時の二次電流放出時間）から判るように、主コンデンサ２４の充電電圧が１００Ｖ程度から二次電流の放出時間は充電完了電圧の３２０Ｖ程度までは大きく変化しない。従って、ＦＥＴ５の駆動時間も変化が少ない。よって、ＰＷＭ回路からのＰＷＭ信号は、充電初期から充電完了まで一定周波数で且つデューティの信号で図５に示すような大きく変化しない充電電流と効率の良い充電特性を得られる。
【図面の簡単な説明】
【００５８】
【図１】本発明の実施例回路及びブロック図
【図２】従来の充電回路１を示す図
【図３】本発明の実施例のタイミングチャートを示す図
【図４】本発明の二次電流放出時間の表
【図５】本発明の充電時の波形を示す図
【図６】従来の充電回路の詳細なタイミングチャートを示す図
【符号の説明】
【００５９】
１      電池
３      トランス
６      ＦＥＴ
９      トランジスタ
７      高圧整流ダイオード
２４    主コンデンサ
２３    放電管
１０１  制御ＩＣ
【図１】
2006154457.tif 000003
【図２】
2006154457.tif 000004
【図３】
2006154457.tif 000005
【図４】
2006154457.tif 000006
【図５】
2006154457.tif 000007
【図６】
2006154457.tif 000008